(57)【要約】【課題】同一積層体内に複数個の積層セラミックコンデンサを形成した、多連型積層セラミックコンデンサにおいて、隣合う積層セラミックコンデンサ間のクロストークを抑えることを目的とする。【解決手段】内部電極３ａ〜３ｄと外部電極６ａ〜６ｄとの間にクロストーク防止電極を形成することによって、内部電極３ａ〜３ｄと外部電極６ａ〜６ｄとの間に発生していた浮遊容量が、内部電極３ａ〜３ｄとクロストーク防止回路（共通内部電極と電気的に等しい）の間に発生する浮遊容量に変わり、積層セラミックコンデンサの静電容量の一部となる。【選択図】図１
2009177052.tif 000002
【特許請求の範囲】
【請求項１】
内部に複数層の内部電極と、複数層の共通内部電極と、複数層の誘電体を交互に積層した積層体と、その外側面に前記内部電極と電気的接続する複数の外部電極と、前記共通内部電極と電気的接続する共通外部電極とからなる多連型積層セラミックコンデンサにおいて、前記多連型積層セラミックコンデンサは、それぞれ前記外部電極と前記共通外部電極間に積層セラミックコンデンサを構成し、特に前記内部電極層にクロストーク防止電極を設けたことを特徴とする多連型積層セラミックコンデンサ。
【請求項２】
前記クロストーク防止電極は内部電極層の前記内部電極と、この内部電極と電気的に接続されていない前記外部電極との間に設けられた請求項１に記載の多連型積層セラミックコンデンサ。
【請求項３】
クロストーク防止電極は共通外部電極と電気的に接続された請求項１に記載の多連型積層セラミックコンデンサ。
【発明の詳細な説明】
【技術分野】
【０００１】
本発明は積層セラミックコンデンサを単一積層体内に複数個形成した多連型積層セラミックコンデンサに関するものである。
【背景技術】
【０００２】
従来の多連型積層セラミックコンデンサ（以降積層コンデンサと称する）について、図５〜図８を用いて説明する。
【０００３】
先ず、公知の積層コンデンサ製造方法を用い、セラミック誘電体グリーンシート（以降、グリーンシートと称する）４１を作製する。
【０００４】
次に、作製したグリーンシート４１を複数枚積層し上部保護層４２と下部保護層４３を作製する。
【０００５】
次いで、下部保護層４３面上にグリーンシート４１を積層し、その上に、図６に示す様に第一層目の内部電極４４を印刷した後、その上にグリーンシート４１を積層し第一層目の有効層４５とする。
【０００６】
続いて、その上に第一層目の内部電極４４と対になる第二層目の内部電極４４を印刷した後、その上にグリーンシート４１を積層し第二層目の有効層４５とする。
【０００７】
更に、その上に第二層目の内部電極４４と対になる第一層目と同じ第三層目の内部電極４４を印刷した後、その上にグリーンシート４１を積層し第三層目の有効層４５とする。
【０００８】
また更に、その上に第二層目と同じ内部電極４４を印刷した後、その上にグリーンシート４１を積層する。この様にしてグリーンシート４１と内部電極４４を順次交互に所定層数を積層した後、最後に上部保護層４２を重ね加圧積層して積層体グリーンブロック（図５）を作製する。
【０００９】
作製した積層体グリーンブロックを、図５に示すグリーン積層体４６の形状に切断後、所定温度で焼成し図７に示す焼結体４７を作製する。
【００１０】
得られた焼結体４７のバレル研磨を行い、焼結体４７の内部に形成した内部電極４４群を焼結体４７の側面に露出させた後、露出した内部電極４４群を覆うように外部電極４８ａ〜４８ｄを形成し、図８に示すような積層コンデンサ５０ａ〜５０ｄを内部に形成したコンデンサアレイ４９を製造する方法が一般に知られている。
【００１１】
なお、この出願の発明に関連する先行技術文献情報としては、例えば、特許文献１が知られている。
【特許文献１】特開平３−１０８３０７号公報
【発明の開示】
【発明が解決しようとする課題】
【００１２】
しかしながら従来のコンデンサアレイ４９は、隣合う積層コンデンサ５０ａ〜５０ｄの同一平面に形成された内部電極４４間に浮遊容量が発生しやすく、そのため電磁干渉によるクロストークが発生するという問題点があった。
【００１３】
本発明は、前記従来の問題点を解決し、隣合う積層コンデンサ間のクロストークの小さい、信頼性の高いコンデンサアレイの製造方法を提供することを目的とするものである。
【課題を解決するための手段】
【００１４】
前記目的を達成するために本発明は、コンデンサアレイを構成する積層コンデンサの内部電極を図４のように全面に１つの内部電極３を形成したものとし、隣接する内部電極３間の浮遊容量を抑え、さらに本構造にしたことで新たに発生する内部電極３と隣接する外部電極間の浮遊容量を抑えるためにクロストーク防止電極を設けるものである。
【発明の効果】
【００１５】
本発明のコンデンサアレイは、コンデンサアレイを構成する複数の積層コンデンサ間でのクロストークを抑えることで、回路上でのライン間の電磁干渉を抑え、回路上での不具合を解消するものである。
【発明を実施するための最良の形態】
【００１６】
本発明の請求項１に記載の発明は、内部に複数層の内部電極と、複数層の共通内部電極と、複数層の誘電体を交互に積層した積層体と、その外側面に内部電極と電気的接続する複数の外部電極と、共通内部電極と電気的接続する共通外部電極とからなる多連型積層セラミックコンデンサにおいて、前記多連型積層セラミックコンデンサは、それぞれ外部電極と共通外部電極間に積層セラミックコンデンサを構成し、更に前記内部電極層に外部電極とのクロストーク防止電極を設けたことを特徴とする多連型積層セラミックコンデンサである。これによりコンデンサアレイを構成する各積層コンデンサの外部電極間に電圧を印加した時に、積層コンデンサの内部電極と隣接する外部電極間に発生する浮遊容量が消去されるため、積層コンデンサ間のクロストークを小さくすることができると言う作用を有するものである。また各積層コンデンサの片方の電極を共通化するのは、外部端子削減によりコンデンサアレイ形状を小さくでき、且つ積層コンデンサ間を共通内部電極で挟む構造のため隣合う積層コンデンサ間のクロストークを小さくすることができるためである。
【００１７】
本発明の請求項２に記載の発明は、クロストーク防止電極は内部電極層の内部電極と、前記内部電極と電気的に接続されていない外部電極との間に設けられた請求項１に記載の多連型積層セラミックコンデンサである。これにより積層コンデンサの内部電極間と隣接する外部電極間に発生する浮遊容量は、クロストーク防止電極を挟むことによって消去されるため、隣接する積層コンデンサ間のクロストークを小さくすることができると言う作用を有するものである。
【００１８】
本発明の請求項３に記載の発明は、クロストーク防止電極は共通外部電極と電気的に接続された請求項１に記載の多連型積層セラミックコンデンサである。これにより積層コンデンサの内部電極間と隣接する外部電極間に発生する浮遊容量は、クロストーク防止電極を挟むことによってそれぞれクロストーク防止電極との間に発生する浮遊容量となり、このクロストーク防止電極を共通外部電極に電気的接続させることで隣接する積層コンデンサ間に発生していた浮遊容量を積層コンデンサの容量に加えることができ、クロストークを小さくすることができると言う作用を有するものである。
【００１９】
以下、本発明の一実施形態の多連型積層セラミックコンデンサについて添付図面を参照し、同一積層体内に４個の積層コンデンサを形成した多連型積層セラミックコンデンサを例に説明する。
【００２０】
図１〜図３に本発明の多連型積層セラミックコンデンサを示した図において、１は上部保護層、２は下部保護層、３ａ〜３ｄは内部電極、４ａ〜４ｄはクロストーク防止電極、５は共通内部電極、６ａ〜６ｄは外部電極、７は共通外部電極である。入力端子が６ａ〜６ｄの外部電極、出力端子が７の共通外部電極の場合と、入力端子が７の共通外部電極、出力端子が６ａ〜６ｄの外部電極の２通りの用途があり、前者は４つの積層コンデンサを内蔵し、その片側を共通端子としたコンデンサアレイであり、後者は１つの入力ラインに４つの積層コンデンサがぶら下った３端子型コンデンサアレイとして使用される。
【００２１】
製造工程についてはグリーンシート作製前と積層体の焼成以降の工程は一般的な多連型積層セラミックコンデンサと同様である。
【００２２】
積層工程では、先ず、グリーンシート８を複数枚積層し下部保護層２を作製する。
【００２３】
次に、共通内部電極が印刷されたグリーンシートと、内部電極３ｄとクロストーク防止電極４ｄが印刷されたグリーンシート８とを交互に積層し、積層コンデンサＤを形成する。
【００２４】
次いで、積層コンデンサＤと同様に積層コンデンサＣ、Ｂ、Ａを形成し、グリーンシート８を複数枚積層し上部保護層１を作製する。このとき印刷体の上下を共通内部電極５にすることで外部電極６ａ〜６ｄとのクロストークを軽減させる。また、積層コンデンサ間のみ共通内部電極層を２枚連続で積層すると隣合う積層コンデンサ間のクロストークを軽減できる。
【産業上の利用可能性】
【００２５】
本発明にかかる多連型積層セラミックコンデンサはコンデンサアレイを構成する複数の積層コンデンサ間でのクロストークを抑えることで回路上でのライン間の電磁干渉を抑えることができるので各種電子機器に有用である。
【図面の簡単な説明】
【００２６】
【図１】本発明の実施の形態における多連型積層セラミックコンデンサの構成を示す模式図
【図２】本発明の実施の形態における多連型積層セラミックコンデンサの斜視図
【図３】本発明の実施の形態における多連型積層セラミックコンデンサの回路図
【図４】同多連型積層セラミックコンデンサの内部電極を示した斜視図
【図５】従来の多連型積層セラミックコンデンサの積層体を示した斜視図
【図６】同多連型積層セラミックコンデンサの構成を示す模式図
【図７】同多連型積層セラミックコンデンサの焼結体を示した斜視図
【図８】同多連型積層セラミックコンデンサの斜視図
【符号の説明】
【００２７】
１  上部保護層
２  下部保護層
３、３ａ〜３ｄ  内部電極
４ａ〜４ｄ  クロストーク防止電極
５  共通内部電極
６ａ〜６ｄ  外部電極
７  共通外部電極
８  グリーンシート
【図１】
2009177052.tif 000003
【図２】
2009177052.tif 000004
【図３】
2009177052.tif 000005
【図４】
2009177052.tif 000006
【図５】
2009177052.tif 000007
【図６】
2009177052.tif 000008
【図７】
2009177052.tif 000009
【図８】
2009177052.tif 000010